(57)【要約】【課題】  ２パイプ方式と４パイプ方式の両方の配管系統を備えた空調システムにおいて，オーバーフロー水を無駄にさせないようにする。【解決手段】  空調対象領域に配置される複数の室内熱交換器の一部に４パイプ方式で温水および冷水を循環させる４パイプ配管系統と，他の一部の室内熱交換器に２パイプ方式で温水および冷水を循環させる２パイプ配管系統とを備えた空調システム１であって，冷水用還ヘッダ２２に膨張タンク７５に連通する膨張管７６を接続し，膨張タンク７５において所定の高さを超えた水を，この空調システム１の冷熱負荷を処理する冷却塔７０に供給するオーバーフロー管８０を設けた。本発明によれば，膨張タンク内でオーバーフローした水を冷却塔の補給水として有効利用できるようになる。【選択図】  図１
2006214627.tif 000002
【特許請求の範囲】
【請求項１】
空調対象領域に配置される複数の室内熱交換器と，
前記複数の室内熱交換器に供給される温水を溜める温水用往ヘッダおよび前記複数の室内熱交換器から戻される温水を溜める温水用還ヘッダと，
前記複数の室内熱交換器に供給される冷水を溜める冷水用往ヘッダおよび前記複数の室内熱交換器から戻される冷水を溜める冷水用還ヘッダと，
前記複数の室内熱交換器の一部と，前記温水用往ヘッダ，前記温水用還ヘッダ，前記冷水用往ヘッダおよび前記冷水用還ヘッダとの間で４パイプ方式で温水および冷水を循環させる４パイプ配管系統と，
前記複数の室内熱交換器の他の一部と，前記温水用往ヘッダ，前記温水用還ヘッダ，前記冷水用往ヘッダおよび前記冷水用還ヘッダとの間で２パイプ方式で温水および冷水を循環させる２パイプ配管系統とを備えた空調システムであって，
前記冷水用還ヘッダに膨張タンクに連通する膨張管を接続し，
前記膨張タンクを，この空調システムの冷熱負荷を処理する冷却塔よりも高い位置に設置し，
前記膨張タンクにおいて所定の高さを超えた水を，前記冷却塔に自重で供給するオーバーフロー管を設けたことを特徴とする，空調システム。
【請求項２】
前記冷水用往ヘッダおよび前記冷水用還ヘッダに冷水を循環供給する熱源装置と，この熱源装置と前記冷却塔との間で冷却水を熱交換器を介して循環させる冷却水配管を備えることを特徴とする，請求項１に記載の空調システム。
【請求項３】
請求項１または２に記載の空調システムの運転方法であって，２パイプ配管系統を暖房運転から冷房運転に切替えるに際し，温水の循環を停止した後に，冷水の循環を開始し，かつ，冷却塔の冷却能力を増大させることを特徴とする，空調システムの運転方法。
【発明の詳細な説明】
【技術分野】
【０００１】
本発明は，空調対象領域に配置される複数の室内熱交換器に対して４パイプ方式と２パイプ方式の両方で温水および冷水を循環させる空調システムとその運転方法に関する。
【背景技術】
【０００２】
建造物内には，例えば居住室，事務室，電算室，病室等，様々な空調対象領域が設けられるが，そのような空調対象領域を空調するものとして，空調対象領域にファンコイルユニットなどの室内熱交換器を配置し，それら室内熱交換器にいわゆる全水方式で温水および冷水を循環させて冷暖房を行う空調システムが知られている。全水方式では，例えばボイラや冷凍機などといった熱源機器で作られた温水や冷水が室内熱交換器に対して適宜循環供給されるが，その供給方式の主なものとしては，室内熱交換器に２本の配管を接続し，冷水と温水を選択的に送液する２パイプ方式や，冷水を送液する配管と温水を送液する配管をそれぞれ別に接続し，室内熱交換器に冷水と温水を別々に送液する４パイプ方式などがある。また最近では，これら２パイプ方式と４パイプ方式の両方を併用し，空調対象領域に配置された複数の室内熱交換器のうち，一部の室内熱交換器には４パイプ方式で温水および冷水を循環させ，他の一部の室内熱交換器には２パイプ方式で温水および冷水を循環させる空調システムも採用されている。
【０００３】
かような２パイプ方式と４パイプ方式の両方を併用した空調システムによれば，例えばインテリアゾーンなどについては，４パイプ方式で快適性に優れた高精度の温度制御を行い，他方，ペリメータゾーンなどについては，さほど温度制御性は高くないが，設備費の安い２パイプ方式を採用することにより，コストパフォーマンスの優れた空調システムを構築できるといった利点がある。しかしながら，この２パイプ方式と４パイプ方式の両方を併用した空調システムでは，冷暖房運転の切換え時に共用の配管内で温水と冷水との混合が発生してしまう。
【０００４】
通常，例えばボイラや冷凍機などといった熱源機器で作られた温水や冷水は，温水用往ヘッダや冷水用往ヘッダにそれぞれ溜められた後，２パイプ方式と４パイプ方式の配管系統を介して，各室内熱交換器に適宜供給され，その後，温水用還ヘッダや冷水用還ヘッダに戻されることになる。ところが，２パイプ方式の配管系統では，冷水を送液する配管と温水を送液する配管が共通であるため，冷暖房の切換え時に，温水用還ヘッダに冷水が戻される事態や冷水用還ヘッダに温水が戻される事態が発生してしまう。
【０００５】
この場合，特に冷水用還ヘッダに温水が戻されると，冷水用還ヘッダ内の冷水の温度が上って膨張するので，冷水用還ヘッダ内の冷水が溢れ出てしまう。そこで従来，このような系内の冷水の膨張を吸収するために，いわゆる膨張タンクや貯水タンクなどを利用することが行われている（例えば特許文献１，２，３参照)。
【０００６】
【特許文献１】実開昭５８−１０２９７９号公報
【特許文献２】特開２００１−１９３９５２号公報
【特許文献３】特開２００４−７７０７４号公報
【発明の開示】
【発明が解決しようとする課題】
【０００７】
ところで，以上のように２パイプ方式と４パイプ方式の両方の配管系統で室内熱交換器に冷温水を循環供給させる空調システムでは，冷水用還ヘッダに温水が戻された際に，冷水用還ヘッダ内の冷水が温度上昇によって大きく膨張すると，膨張タンク内の水位が著しく上がってしまう。かかる場合，膨張タンク内でオーバーフローした水をオーバーフロー管などから溢れさせて，雑排水として建物外へ放流することも考えられるが，そうすると水が無駄となってしまう。特に負荷の状況によっては，冷温水の切り替えが頻繁に作動し，オーバーフロー水として放流される水量が増え，ランニングコストが高くなってしまう。
【０００８】
したがって本発明の目的は，２パイプ方式と４パイプ方式の両方の配管系統を備えた空調システムにおいて，オーバーフロー水を無駄にさせないようにすることである。
【課題を解決するための手段】
【０００９】
本発明によれば，空調対象領域に配置される複数の室内熱交換器と，前記複数の室内熱交換器に供給される温水を溜める温水用往ヘッダおよび前記複数の室内熱交換器から戻される温水を溜める温水用還ヘッダと，前記複数の室内熱交換器に供給される冷水を溜める冷水用往ヘッダおよび前記複数の室内熱交換器から戻される冷水を溜める冷水用還ヘッダと，前記複数の室内熱交換器の一部と，前記温水用往ヘッダ，前記温水用還ヘッダ，前記冷水用往ヘッダおよび前記冷水用還ヘッダとの間で４パイプ方式で温水および冷水を循環させる４パイプ配管系統と，前記複数の室内熱交換器の他の一部と，前記温水用往ヘッダ，前記温水用還ヘッダ，前記冷水用往ヘッダおよび前記冷水用還ヘッダとの間で２パイプ方式で温水および冷水を循環させる２パイプ配管系統とを備えた空調システムであって，前記冷水用還ヘッダに膨張タンクに連通する膨張管を接続し，前記膨張タンクを，この空調システムの冷熱負荷を処理する冷却塔よりも高い位置に設置し，前記膨張タンクにおいて所定の高さを超えた水を，前記冷却塔に自重で供給するオーバーフロー管を設けたことを特徴とする，空調システムが提供される。この空調システムは，前記冷水用往ヘッダおよび前記冷水用還ヘッダに冷水を循環供給する熱源装置と，この熱源装置と前記冷却塔との間で冷却水を熱交換器を介して循環させる冷却水配管を備えていても良い。
【００１０】
また本発明によれば，このような空調システムの運転方法であって，２パイプ配管系統を暖房運転から冷房運転に切替えるに際し，温水の循環を停止した後に，冷水の循環を開始し，かつ，冷却塔の冷却能力を増大させることを特徴とする，空調システムの運転方法が提供される。
【発明の効果】
【００１１】
本発明によれば，膨張タンク内でオーバーフローした水を冷却塔の補給水として有効利用できる。膨張タンクを処理する冷却塔よりも高い位置に設置しているので，冷却塔から膨張タンクに水が逆流する心配がなく，空調システム内の水質を清浄に維持できる。また，省エネルギー運転が可能である。
【発明を実施するための最良の形態】
【００１２】
以下，本発明の好ましい実施の形態を図面を参照にして説明する。図１は，本発明の実施の形態にかかる空調システム１を説明するための概略構成図である。図２は，この空調システム１が備える膨張タンク７５と冷却塔７０の説明図である。
【００１３】
図１において，空調対象領域２は，建造物内に設けられる居住室，事務室，電算室，病室等である。空調対象領域２には，４パイプ方式で温水および冷水が循環供給される室内熱交換器３と，２パイプ方式で温水および冷水が循環供給される室内熱交換器４が設置されている。室内熱交換器３は，例えばエアハンドルユニットであり，室内熱交換器４は，例えばファンコイルユニットである。４パイプ方式で温水および冷水が循環供給される室内熱交換器３は，空調対象領域２において例えばインテリアゾーンなどといった比較的高い精度の温度制御が要求される位置に設置されている。一方，２パイプ方式で温水および冷水が循環供給される室内熱交換器４は，空調対象領域２において例えばペリメータゾーンなどといったさほど高い精度の温度制御が要求されない位置に設置されている。なお，図１では，これら室内熱交換器３，４をそれぞれ１台ずつ示しているが，これら室内熱交換器３，４は，空調対象領域２内に複数台ずつ設置されていても良い。例えば，建造物の内部において，室内熱交換器３は，１つの階に１台ないし数台設置され，室内熱交換器４は，１つの階に窓際に沿って数台設置されている。
【００１４】
４パイプ方式で温水および冷水が循環供給される室内熱交換器３は，冷水を通す冷却コイル１０と，温水を通す加熱コイル１１を内蔵したいわゆるダブルコイル型の熱交換器である。この室内熱交換器３には，冷水往管１５，冷水還管１６，温水往管１７および温水還管１８を備えた４パイプ配管系統２０が接続されており，この４パイプ配管系統２０を通じて，室内熱交換器３と冷水用往ヘッダ２１，冷水用還ヘッダ２２，温水用往ヘッダ２３および温水用還ヘッダ２４との間で冷温水が循環供給されるようになっている。
【００１５】
即ち，冷水還管１６には送液ポンプ２５が装着してあり，この送液ポンプ２５の稼動により，冷水用往ヘッダ２１内に溜められた冷水が，冷水往管１５から室内熱交換器３の冷却コイル１０に供給され，冷却コイル１０で冷熱を放熱した冷水が，冷水還管１６から冷水用還ヘッダ２２に戻されるようになっている。また，温水還管１８には送液ポンプ２６が装着してあり，この送液ポンプ２６の稼動により，温水用往ヘッダ２３内に溜められた温水が，温水往管１５から室内熱交換器３の加熱コイル１１に供給され，加熱コイル１１で温熱を放熱した温水が，温水還管１８から温水用還ヘッダ２４に戻されるようになっている。なお，送液ポンプ２５，２６の稼動量は制御可能であり，これにより冷却コイル１０に供給される冷水の送液量と加熱コイル１１に供給される温水の送液量が調整されるようになっている。また，４パイプ配管系統２０を構成している各管１５〜１８には，常時開の開閉弁２７がそれぞれ介装されている。
【００１６】
一方，２パイプ方式で温水および冷水が循環供給される室内熱交換器４には，冷温水を選択的に通す冷却加熱コイル３０のみが内蔵されている。この室内熱交換器４には，冷温水往管３５および冷温水還管３６を備えた２パイプ方式で温水および冷水を循環させる２パイプ配管系統３７が接続されており，この２パイプ配管系統３７を通じて，室内熱交換器４と冷水用往ヘッダ２１，冷水用還ヘッダ２２，温水用往ヘッダ２３および温水用還ヘッダ２４との間で，冷温水が選択的に循環供給されるようになっている。
【００１７】
即ち，冷温水往管３５は，枝冷水往管４０と枝温水往管４１を介して冷水用往ヘッダ２１と温水用往ヘッダ２３の両方に接続され，枝冷水往管４０と枝温水往管４１には，どちらか一方のみが選択的に開かれる制御弁４２，４３がそれぞれ介装されている。また，冷温水還管３６は，枝冷水還管４５と枝温水還管４６を介して冷水用還ヘッダ２２と温水用還ヘッダ２４の両方に接続され，これら枝冷水還管４５と枝温水還管４６にも，どちらか一方のみが選択的に開かれる制御弁４７，４８がそれぞれ介装されている。そして，枝冷水往管４０に介装された制御弁４２と枝冷水還管４５に介装された制御弁４７が連動して開閉し，枝温水往管４１に介装された制御弁４３と枝温水還管４６に介装された制御弁４８が連動して開閉するようになっている。
【００１８】
また，冷温水還管３６には送液ポンプ５０が装着してある。そして冷房時には，制御弁４２と制御弁４７が連動して開かれ，制御弁４３と制御弁４８が連動して閉じられた状態では，この送液ポンプ５０の稼動により，冷水用往ヘッダ２１内に溜められた冷水が，枝冷水往管４０から冷温水往管３５を通って室内熱交換器４の冷却加熱コイル３０に供給され，冷却加熱コイル３０で冷熱を放熱した冷水が，冷温水還管３６から枝冷水還管４５を通って冷水用還ヘッダ２２に戻されるようになっている。一方，暖房時には，制御弁４３と制御弁４８が連動して開かれ，制御弁４２と制御弁４７が連動して閉じられた状態では，この送液ポンプ５０の稼動により，温水用往ヘッダ２３内に溜められた温水が，枝温水往管４１から冷温水往管３５を通って室内熱交換器４の冷却加熱コイル３０に供給され，冷却加熱コイル３０で温熱を放熱した温水が，冷温水還管３６から枝温水還管４６を通って温水用還ヘッダ２４に戻されるようになっている。
【００１９】
冷水用往ヘッダ２１内には，熱源装置５５で作られた冷水が，冷水供給管５６を介してポンプ５７の稼動で供給されている。また，冷水用還ヘッダ２２内の冷水は，冷水戻し管６０を介してポンプ６１の稼動で，熱源装置５５に戻されている。これにより，熱源装置５５で作られた冷水が，冷水用往ヘッダ２１，各室内熱交換器３，４，冷水用還ヘッダ２２の順に循環供給される。
【００２０】
この実施の形態では，熱源装置５５は，ダブルバンドル型，ダブルコンデンサ型などといった冷水と温水の両方を並行して作り出すことができるものになっている。そのため，温水用往ヘッダ２３内には，同じ熱源装置５５で作られた温水が，温水供給管６５を介してポンプ６６の稼動で供給されている。また，温水用還ヘッダ２４内の温水は，温水戻し管６７を介してポンプ６８の稼動で，熱源装置５５に戻されている。これにより，熱源装置５５で作られた温水が，温水用往ヘッダ２３，各室内熱交換器３，４，温水用還ヘッダ２４の順に循環供給される。
【００２１】
熱源装置５５には，冷却塔７０との間で冷却水を循環させる冷却水往配管７１と冷却水還配管７２が接続してある。冷却塔７０は，熱源装置５５の冷熱負荷（ひいては空調システム１の冷熱負荷）を処理しており，冷却塔７０には，散水した冷却水を冷却するための送風機７３が内蔵されている。この送風機７３の送風能力と，冷却塔７０での冷却水の散水量はいずれも可変に構成されている。
【００２２】
冷水用還ヘッダ２２には，膨張タンク７５に連通する膨張管７６が接続されている。これにより，冷水用還ヘッダ２２内の冷水が膨張した場合は，冷水の一部が膨張管７６から膨張タンク７５内に流入し，一方，冷水用還ヘッダ２２内の冷水が収縮した場合は，膨張タンク７５内の水の一部が膨張管７６から冷水用還ヘッダ２２内に流入するようになっている。
【００２３】
図２に示すように，膨張タンク７５は冷却塔７０よりも高い位置に設けられている。これら膨張タンク７５と冷却塔７０の間には，両者の高低差を利用して膨張タンク７５内の水を冷却塔７０内に流入させるオーバーフロー管８０が接続してある。オーバーフロー管８０の一端は，膨張タンク７５内の所定の高さに開口しており，膨張タンク７５内の水位がオーバーフロー管８０の開口高さを超えた場合は，膨張タンク７５内の水がオーバーフロー管８０を通じて冷却塔７０内に自重で流入するようになっている。
【００２４】
膨張タンク７５には，タップ付きの給水路８１が接続してある。膨張タンク７５内の水位が所定の高さよりも下がった場合は，この給水路８１から膨張タンク７５内に水が給水される。また，膨張タンク７５は，膨張タンク７５内の水位を段階的に検出して，膨張タンク７５内の水位に以上がないことを確認するための水位センサ８２が設けてある。
【００２５】
冷却塔７０では，冷却水往配管７１から供給された冷却水が外気によって冷却され，その後，冷却水還配管７２から熱源装置５５に冷却水が戻される。こうして冷却塔７０で冷却した冷却水を熱源装置５５に循環させることにより，熱源装置５５の冷熱負荷を処理している。
【００２６】
冷却塔７０にも，タップ付きの給水路８５が接続してある。冷却塔７０内の水位が所定の高さよりも下がった場合は，この給水路８５から冷却塔７０内に水が給水される。
【００２７】
さて，以上のように構成された本発明の実施の形態にかかる空調システム１において，冷水用還ヘッダ２２から冷水戻し管６０を介して熱源装置５５に戻された冷水は，冷却処理後，冷水供給管５６を介して冷水用往ヘッダ２１に送られる。また一方で，温水用還ヘッダ２４から温水戻し管６７を介して熱源装置５５に戻された温水は，加熱処理後，温水供給管６５を介して温水用往ヘッダ２３に送られる。こうして，冷水用往ヘッダ２１には冷却された冷水が溜められ，温水用往ヘッダ２３には加熱された温水が溜められた状態が維持される。
【００２８】
そして，空調対象領域２において例えばインテリアゾーンなどといった比較的高い精度の温度制御が要求される位置に設置されている室内熱交換器３に対しては，４パイプ方式で温水と冷水を送液することにより，快適性に優れた高精度の温度制御が行われる。即ち，室内熱交換器３については，送液ポンプ２５，２６の稼動量を制御することにより，室内熱交換器３内の冷却コイル１０と加熱コイル１１の両方にそれぞれ所望の流量で冷水と温水を送液し，あるいは，冷却コイル１０のみに所望の流量で冷水を送液し，またあるいは，加熱コイル１１のみに所望の流量で温水を送液して，インテリアゾーンでの要求に追随した細かな温度制御を行うことにより，快適性を維持する（なおこの場合，送液ポンプ２５，２６の稼動量を制御に代えて，あるいは，送液ポンプ２５，２６の稼動量を制御に加えて，制御弁（図示せず）を用いて冷水と温水の送液量をそれぞれ所望の流量に調整することもできる。また，熱交換器３の温度調整をルームサーモスタットで行っても良い。）。
【００２９】
こうして，室内熱交換器３の冷却コイル１０で冷熱を放熱した冷水は，冷水還管１６から冷水用還ヘッダ２２に戻され，また，加熱コイル１１で温熱を放熱した温水は，温水還管１８から温水用還ヘッダ２４に戻される。
【００３０】
一方，空調対象領域２において例えばペリメータゾーンなどといったさほど高い精度の温度制御が要求されていない位置に設置されている室内熱交換器４に対しては，２パイプ方式で温水と冷水を選択的に送液することにより，コストパフォーマンス性の良い温度制御が行われる。即ち，室内熱交換器４で暖房運転を行う場合は，制御弁４３と制御弁４８が連動して開き，制御弁４２と制御弁４７が連動して閉じる。そして，温水用往ヘッダ２３内に溜められた温水が，送液ポンプ５０の稼動で枝温水往管４１から冷温水往管３５を通って室内熱交換器４の冷却加熱コイル３０に供給される。こうして，冷却加熱コイル３０で温熱を放熱した温水が，冷温水還管３６から枝温水還管４６を通って温水用還ヘッダ２４に戻される。また，室内熱交換器４で冷房運転を行う場合は，制御弁４２と制御弁４７が連動して開き，制御弁４３と制御弁４８が連動して閉じる。そして，冷水用往ヘッダ２１内に溜められた冷水が，送液ポンプ５０の稼動で枝冷水往管４０から冷温水往管３５を通って室内熱交換器４の冷却加熱コイル３０に供給される。こうして，冷却加熱コイル３０で冷熱を放熱した冷水が，冷温水還管３６から枝冷水還管４５を通って冷水用還ヘッダ２２に戻される。
【００３１】
このように，ペリメータゾーンなどについては，暖房運転と冷房運転が切替えて行われるため，さほど温度制御性は高くできないが，ペリメータゾーンなどについては，設備費の安い２パイプ方式を採用することにより，全体としてコストパフォーマンスの優れた空調システム１を構築できるといった利点がある。
【００３２】
そして，冷水用還ヘッダ２２に戻された冷水は，熱源装置５５で冷却処理された後，再び冷水用往ヘッダ２１に戻される。また，温水用還ヘッダ２４に戻された温水は，熱源装置５５で加熱処理された後，再び温水用往ヘッダ２３に戻されることになる。
【００３３】
ところで，以上のように４パイプ方式と２パイプ方式の両方を併用した空調システム１にあっては，室内熱交換器４の冷却加熱コイル３０への温水と冷水の供給が，負荷の状況に応じて頻繁に切り替り，その度に制御弁４３と制御弁４８の開閉と制御弁４２と制御弁４７の開閉が切り替ることになる。
【００３４】
例えば，今まで室内熱交換器４の冷却加熱コイル３０へ温水を供給して暖房運転を行っていた状態から，冷房運転に切り替えた場合であれば，制御弁４３と制御弁４８が開かれ，制御弁４２と制御弁４７が閉じられていた状態から，先ず温水側の制御弁４３と制御弁４８が閉じられ，その後，冷水側の制御弁４２と制御弁４７が開かれた状態となる（時間差動作）。これにより，切換え直後においては，冷温水往管３５，冷却加熱コイル３０および冷温水還管３６内にまだ残っていた温水が，温水用還ヘッダ２４ではなくて，冷水用還ヘッダ２２に戻されてしまう。そして，このように冷水用還ヘッダ２２に温水が戻されると，冷水用還ヘッダ２２内の冷水の温度が上って膨張することとなる。
【００３５】
かかる場合，この空調システム１にあっては，こうして冷水用還ヘッダ２２内の冷水が膨張すると，冷水用還ヘッダ２２内の冷水の一部が膨張管７６から膨張タンク７５内に流入する。これにより，系内の圧力が一定に保たれる。
【００３６】
また，冷水用還ヘッダ２２内から膨張タンク７５内に流入した冷水の水量が多く，膨張タンク７５内の水位がオーバーフロー管８０の開口高さを超えた場合は，更に，膨張タンク７５内の水がオーバーフロー管８０を通じて冷却塔７０内に自重で流入する。これにより，オーバーフロー水を無駄に捨てずに済み，冷却塔７０の冷却水として有効に活用できるようになる。なお，室内熱交換器４の冷却加熱コイル３０へ温水を供給して暖房運転を行っていた状態から，冷房運転に切り替えた場合，熱源装置（冷凍機）５５の負荷が大きくなる。かかる場合は，冷却塔７０に内蔵された送風機７３の送風量を増大させる，あるいは，膨張タンク７５から冷却塔７０内にオーバーフロー水が流入したことを受けて，冷却塔７０での冷却水の散水量を増大させる，などといった方法で冷却塔７０の冷却能力を増大させれば，省資源化，省エネルギ化を達成することができる。
【００３７】
以上，本発明の好ましい実施の形態を例示したが，本発明は例示の形態に限定されない。図示の例では，室内熱交換器３，４をそれぞれ１台ずつ記載したが，これら室内熱交換器３，４は，空調対象領域２内に複数台ずつ設置されていても良い。また，４パイプ方式で温水および冷水を循環供給する室内熱交換器３は，例えば各インテリアゾーン毎に異なる温度制御を行うことにより，それぞれの負荷状況に対応することも可能である。また，膨張タンク７５内でオーバーフローしたオーバーフロー水は，冷却塔７０で活用する他，オーバーブロー水を中水道の補助水源として活用したり，消火設備の予備水源として活用することも可能である。また，熱源装置５５として，冷水と温水を並行して作り出すダブルバンドル型，ダブルコンデンサ型などを例示したが，熱源装置５５として，冷水を作るための冷凍機などの冷熱源装置と，温水を作るためのボイラなどの温熱源装置を別に設けても良い。また，図示の例では，２パイプ方式による温水と冷水の送液の切換えを，４つの制御弁４２，４３，４７，４８の制御で切替える例を説明したが，制御弁４２，４３と制御弁４７，４８の代りに２つの三方弁を設けて，２パイプ方式による温水と冷水の送液の切換えを行うこともできる。
【実施例】
【００３８】
以上に説明した空調システムについて，年間の省料金と省エネルギ率を試算した。与条件は，系内の保有水量：１２０ｍ３，冷水用還ヘッダにおける冷水と温水の混合後の上昇温度：１４℃（冷水還温度１２℃，温水還温度４０℃），水の体積膨張率：０．３５×１０−３／℃，切換え回数：２回／１日×５０日／年，水道料金：７００円／ｍ３とした。なお，熱交換器３の温度調整は，ポンプの稼動量ではなく，ルームサーモスタットによる。一回の切換えで発生する膨張水量Ｑおよび年間の省料金Ｍは次のようになった。
Ｑ＝１２０ｍ３×１４℃×０．３５×１０−３／℃＝０．５８８／回
Ｍ＝０．５８８／回×１００回／年×７００円／ｍ３＝４１，０００円
冷却水出口温度については，一般に冷凍機冷却水入口水温３２℃が仕様であるが，１℃下がると冷凍機能力が約５％前後アップする。したがって，２６℃（１２℃＋１４℃＝２６℃）の入口温度では，約３０％の省エネルギ化がはかれる。
【産業上の利用可能性】
【００３９】
本発明は，事務所ビル，商業ビルなどといった業務用ビルの他，ホール，各種設備等の種々の施設の空調システムにも適用できる。
【図面の簡単な説明】
【００４０】
【図１】本発明の実施の形態にかかる空調システムを説明するための概略構成図である。
【図２】膨張タンクと冷却塔の説明図である。
【符号の説明】
【００４１】
１    空調システム
２  空調対象領域
３，４  室内熱交換器
１０  冷却コイル
１１  加熱コイル
１５  冷水往管
１６  冷水還管
１７  温水往管
１８  温水還管
２０  ４パイプ配管系統
２１  冷水用往ヘッダ
２２  冷水用還ヘッダ
２３  温水用往ヘッダ
２４  温水用還ヘッダ
２５，２６  送液ポンプ
３０  冷却加熱コイル
３５  冷温水往管
３６  冷温水還管
３７  ２パイプ配管系統
４０  冷水往管
４１  温水往管
４２，４３  制御弁
４５  冷水還管
４６  温水往管
４７，４８  制御弁
５０  送液ポンプ
５５  熱源装置
５６  冷水供給管
６０  冷水戻し管
６５  温水供給管
６７  温水戻し管
７０  冷却塔
７１  冷却水往配管
７２  冷却水還配管
７５  膨張タンク
７６  膨張管
８０  オーバーフロー管
８１，８５  給水路
８２  水位センサ
【図１】
2006214627.tif 000003
【図２】
2006214627.tif 000004